(57)【要約】【課題】簡易な構成で入退場を適正に管理する。【解決手段】本発明の一実施形態に係る入退場管理システムは、管理区域への入場の可否を判定する入場管理装置と、管理区域からの退場の可否を判定する退場管理装置とを備える。入場管理装置は、第１の塗布剤で記録媒体に印刷された入場用コードを読み取る入場読取部と、入場読取部による読み取り結果に基づき入場の可否を判定する入場判定部と、入場判定部が入場可と判定した場合に、第２の塗布剤で退場用コードを入場用コードの少なくとも一部に重なるように印刷し、入場用コードを入場読取部で読み取り不可にする印刷部とを備える。退場管理装置は、退場用コードを読み取る退場読取部と、退場読取部による読み取り結果に基づき退場の可否を判定する退場判定部とを備える。【選択図】図１
2019102014.tif 000002
【特許請求の範囲】
【請求項１】
管理区域への入場の可否を判定する入場管理装置と、前記管理区域からの退場の可否を判定する退場管理装置とを備える入退場管理システムであって、
前記入場管理装置は、
第１の塗布剤で記録媒体に印刷された入場用コードを読み取る入場読取部と、
前記入場読取部による読み取り結果に基づき入場の可否を判定する入場判定部と、
前記入場判定部が入場可と判定した場合に、第２の塗布剤で退場用コードを前記入場用コードの少なくとも一部に重なるように印刷し、前記入場用コードを前記入場読取部で読み取り不可にする印刷部とを備え、
前記退場管理装置は、
前記退場用コードを読み取る退場読取部と、
前記退場読取部による読み取り結果に基づき退場の可否を判定する退場判定部とを備えることを特徴とする入退場管理システム。
【請求項２】
前記入場読取部は、可視光を照射し、
前記退場読取部は、赤外光を照射し、
前記第１の塗布剤は、前記可視光を反射し、前記赤外光を透過させるインクであり、
前記第２の塗布剤は、前記可視光および前記赤外光を反射するインクであることを特徴とする請求項１に記載の入退場管理システム。
【請求項３】
前記退場読取部は、可視光を照射することを特徴とする請求項１に記載の入退場管理システム。
【請求項４】
前記入場用コードおよび前記退場用コードは、バーのみが印刷されているバーコードであることを特徴とする請求項２に記載の入退場管理システム。
【請求項５】
前記入場用コードおよび前記退場用コードは、バー、スペースおよびクワイエットゾーンが印刷されているバーコードであることを特徴とする請求項３に記載の入退場管理システム。
【請求項６】
前記管理区域内にある他の管理区域への入場の可否を判定する他の入場管理装置をさらに備え、
前記他の入場管理装置は、前記退場用コードを読み取り、前記退場用コードの読み取り結果に基づき入場の可否を判定することを特徴とする請求項１乃至５のいずれか１項に記載の入退場管理システム。
【請求項７】
管理区域からの退場の可否を判定する退場管理装置とともに用いられる入場管理装置であって、
第１の塗布剤で記録媒体に印刷された入場用コードを読み取る読取部と、
前記読取部による読み取り結果に基づき入場の可否を判定する判定部と、
前記判定部が入場可と判定した場合に、第２の塗布剤で退場用コードを前記入場用コードの少なくとも一部に重なるように印刷し、前記入場用コードを前記読取部で読み取り不可にする印刷部とを備えることを特徴とする入場管理装置。
【請求項８】
管理区域への入場の可否を判定する入場管理装置とともに用いられる退場管理装置であって、
第１の塗布剤で記録媒体に印刷された入場用コードの少なくとも一部に重なるように第２の塗布剤で前記入場管理装置によって印刷された退場用コードであって、前記入場用コードが前記入場管理装置によって読み取り不可となるように印刷された前記退場用コードを読み取る読取部と、
前記読取部による読み取り結果に基づき退場の可否を判定する判定部とを備えることを特徴とする退場管理装置。
【請求項９】
管理区域への入場の可否を判定する入場管理装置および前記管理区域からの退場の可否を判定する退場管理装置における入退場管理方法であって、
第１の塗布剤で記録媒体に印刷された入場用コードを前記入場管理装置によって読み取るステップと、
前記入場管理装置による読み取り結果に基づき入場の可否を前記入場管理装置によって判定するステップと、
前記入場管理装置が入場可と判定した場合に、前記入場管理装置によって、第２の塗布剤で退場用コードを前記入場用コードの少なくとも一部に重なるように印刷し、前記入場用コードを前記入場管理装置で読み取り不可にするステップと、
前記退場用コードを前記退場管理装置によって読み取るステップと、
前記退場管理装置による読み取り結果に基づき退場の可否を前記退場管理装置によって判定するステップとを備えることを特徴とする入退場管理方法。
【請求項１０】
管理区域への入場の可否を判定する入場管理装置および前記管理区域からの退場の可否を判定する退場管理装置における入退場管理方法をコンピュータに実行させるプログラムであって、
第１の塗布剤で記録媒体に印刷された入場用コードを前記入場管理装置によって読み取るステップと、
前記入場管理装置による読み取り結果に基づき入場の可否を前記入場管理装置によって判定するステップと、
前記入場管理装置が入場可と判定した場合に、前記入場管理装置によって、第２の塗布剤で退場用コードを前記入場用コードの少なくとも一部に重なるように印刷し、前記入場用コードを前記入場管理装置で読み取り不可にするステップと、
前記退場用コードを前記退場管理装置によって読み取るステップと、
前記退場管理装置による読み取り結果に基づき退場の可否を前記退場管理装置によって判定するステップとを備えることを特徴とするプログラム。
【発明の詳細な説明】
【技術分野】
【０００１】
本発明は、入退場管理システム、入場管理装置、退場管理装置、入退場管理方法およびプログラムに関する。
【背景技術】
【０００２】
入退場の管理を必要とする管理区域において、入退場管理システムが用いられている。特許文献１に記載の入退場管理システムは、入場券上の入場用バーコードに含まれる情報に基づき入場の可否を判定し、再入場防止のために入場用バーコードに加工処理を施している。この入退場管理システムは、例えば入場用バーコードの上に文字、マーク、図形などを印刷し、または入場券の入場用バーコードが印刷されている位置に孔をあけて入場用バーコードを無効化している。
【先行技術文献】
【特許文献】
【０００３】
【特許文献１】特開２００５−１６５８５３号公報
【発明の概要】
【発明が解決しようとする課題】
【０００４】
しかしながら、特許文献１に記載の入退場管理システムは、退場用バーコードを使用せず、退場可否の判定を行わない。このため、退場可否の判定を実現する場合には、退場用バーコードの印刷装置と入場用バーコードの無効化装置とが別々に必要となり、構成が複雑になってしまう。
【０００５】
本発明は、上述の課題に鑑みてなされたものであって、簡易な構成で入退場を適正に管理することが可能な入退場管理システム、入場管理装置、退場管理装置、入退場管理方法およびプログラムを提供することを目的とする。
【課題を解決するための手段】
【０００６】
本発明の一観点によれば、管理区域への入場の可否を判定する入場管理装置と、前記管理区域からの退場の可否を判定する退場管理装置とを備える入退場管理システムであって、前記入場管理装置は、第１の塗布剤で記録媒体に印刷された入場用コードを読み取る入場読取部と、前記入場読取部による読み取り結果に基づき入場の可否を判定する入場判定部と、前記入場判定部が入場可と判定した場合に、第２の塗布剤で退場用コードを前記入場用コードの少なくとも一部に重なるように印刷し、前記入場用コードを前記入場読取部で読み取り不可にする印刷部とを備え、前記退場管理装置は、前記退場用コードを読み取る退場読取部と、前記退場読取部による読み取り結果に基づき退場の可否を判定する退場判定部とを備えることを特徴とする入退場管理システムが提供される。
【０００７】
本発明の他の観点によれば、管理区域からの退場の可否を判定する退場管理装置とともに用いられる入場管理装置であって、第１の塗布剤で記録媒体に印刷された入場用コードを読み取る読取部と、前記読取部による読み取り結果に基づき入場の可否を判定する判定部と、前記判定部が入場可と判定した場合に、第２の塗布剤で退場用コードを前記入場用コードの少なくとも一部に重なるように印刷し、前記入場用コードを前記読取部で読み取り不可にする印刷部とを備えることを特徴とする入場管理装置が提供される。
【０００８】
本発明の他の観点によれば、管理区域への入場の可否を判定する入場管理装置とともに用いられる退場管理装置であって、第１の塗布剤で記録媒体に印刷された入場用コードの少なくとも一部に重なるように第２の塗布剤で前記入場管理装置によって印刷された退場用コードであって、前記入場用コードが前記入場管理装置によって読み取り不可となるように印刷された前記退場用コードを読み取る読取部と、前記読取部による読み取り結果に基づき退場の可否を判定する判定部とを備えることを特徴とする退場管理装置が提供される。
【０００９】
本発明の他の観点によれば、管理区域への入場の可否を判定する入場管理装置および前記管理区域からの退場の可否を判定する退場管理装置における入退場管理方法であって、第１の塗布剤で記録媒体に印刷された入場用コードを前記入場管理装置によって読み取るステップと、前記入場管理装置による読み取り結果に基づき入場の可否を前記入場管理装置によって判定するステップと、前記入場管理装置が入場可と判定した場合に、前記入場管理装置によって、第２の塗布剤で退場用コードを前記入場用コードの少なくとも一部に重なるように印刷し、前記入場用コードを前記入場管理装置で読み取り不可にするステップと、前記退場用コードを前記退場管理装置によって読み取るステップと、前記退場管理装置による読み取り結果に基づき退場の可否を前記退場管理装置によって判定するステップとを備えることを特徴とする入退場管理方法が提供される。
【００１０】
本発明の他の観点によれば、管理区域への入場の可否を判定する入場管理装置および前記管理区域からの退場の可否を判定する退場管理装置における入退場管理方法をコンピュータに実行させるプログラムであって、第１の塗布剤で記録媒体に印刷された入場用コードを前記入場管理装置によって読み取るステップと、前記入場管理装置による読み取り結果に基づき入場の可否を前記入場管理装置によって判定するステップと、前記入場管理装置が入場可と判定した場合に、前記入場管理装置によって、第２の塗布剤で退場用コードを前記入場用コードの少なくとも一部に重なるように印刷し、前記入場用コードを前記入場管理装置で読み取り不可にするステップと、前記退場用コードを前記退場管理装置によって読み取るステップと、前記退場管理装置による読み取り結果に基づき退場の可否を前記退場管理装置によって判定するステップとを備えることを特徴とするプログラムが提供される。
【発明の効果】
【００１１】
本発明によれば、簡易な構成で入退場を適正に管理することが可能となる。
【図面の簡単な説明】
【００１２】
【図１】第１の実施形態における入退場管理システムの全体構成図である。
【図２】第１の実施形態における入場改札機のブロック図である。
【図３】第１の実施形態における退場改札機のブロック図である。
【図４】第１の実施形態における入場前入場券の概観図である。
【図５】第１の実施形態における入場済み入場券の概観図である。
【図６】第１の実施形態における入場用バーコードとバーコードリーダを示す図である。
【図７】第１の実施形態における退場用バーコードとバーコードリーダを示す図である。
【図８】第１の実施形態における入場改札機１の入場可否判定処理を示すフローチャートである。
【図９】第１の実施形態における退場改札機２の退場可否判定処理を示すフローチャートである。
【図１０】第２の実施形態における入場前入場券の概観図である。
【図１１】第２の実施形態における入場済み入場券の概観図である。
【図１２】第３の実施形態における入退場管理システムの概略構成図である。
【発明を実施するための形態】
【００１３】
以下、図面を参照して、本発明の実施形態を説明する。
【００１４】
（第１の実施形態）
図１は、本実施形態における入退場管理システムの全体構成図である。入退場管理システムは、入退場の管理を必要とする管理区域に適用可能である。管理区域は、例えば鉄道・自動車などの有料インフラ施設、テーマパークなどの有料施設、工事現場などの作業区域などが考えられる。入退場管理システムは、入場改札機１（入場管理装置）、退場改札機２（退場管理装置）、サーバ３、券売機４を含む。入場改札機１、退場改札機２は管理区域の境界５上に設置され、入場者６の管理区域への入退場を許可および制限する。
【００１５】
券売機４は、管理区域の境界５の外側に設置され、入場料金の精算処理を行う端末４１、発券を行うプリンタ４２を備える。端末４１はコンピュータ、表示装置を備え、金銭、電子マネーなどの入場者６からの対価に基づき、プリンタ４２に発券の指示を行う。プリンタ４２は、可視光を反射し、赤外光を透過させるインク（第１の塗布剤）を備える。プリンタ４２は台紙７０に入場用バーコード７１ａを印刷し、排出口４０１から入場前入場券７Ａを発券する。入場用バーコード７１ａには、購入日、有効期限、券種、入場可能エリア、シリアル番号などの情報が含まれている。
【００１６】
入場改札機１は、バーコードリーダ１０９、プリンタ１１４を備える。バーコードリーダ１０９は可視光領域の光源を備え、投入口１０５に投入された入場前入場券７Ａ上の入場用バーコード７１ａを読み取る。入場改札機１は読み取られた入場用バーコード７１ａをデコードし、デコードされた情報に基づき入場の可否を判定する。入場改札機１が入場可と判定すると、入場ゲート１１を開く。入場ゲート１１は、例えば２枚のフラップを有するフラッパー式ゲートによって構成され得るが、１枚のフラップを用いて構成されてもよい。フラップはモータにより開閉自在に駆動される。プリンタ１１４は、可視光および赤外光を反射するインク（第２の塗布剤）を備える。プリンタ１１４は、入場可と判定した入場前入場券７Ａに退場用バーコード７１ｂを印刷する。プリンタ１１４は、バーコードリーダ１０９が入場用バーコード７１ａを読み取ることができない程度に、退場用バーコード７１ｂを入場用バーコード７１ａの少なくとも一部に重なるように印刷する。退場用バーコード７１ｂには、購入日、有効期限、券種、入場可能エリア、シリアル番号などの情報の少なくとも一部と、入場改札機１により入場を許可されたことを示す入場許可済み情報が含まれている。入場許可済み情報は、例えば数字、記号、入場時刻などである。なお、退場用バーコード７１ｂには、入場許可済み情報のみが含まれていてもよい。
【００１７】
退場改札機２は、バーコードリーダ２０９を備える。バーコードリーダ２０９は赤外線領域の光源を備え、投入口２０５に投入された入場済み入場券７Ｂ上の退場用バーコード７１ｂを読み取る。退場改札機２は読み取られた退場用バーコード７１ｂをデコードし、デコードされた情報に基づき退場の可否を判定する。退場改札機２が退場可と判定すると、退場ゲート２１を開く。退場ゲート２１は、入場ゲート１１と同様に、例えば２枚のフラップを有するフラッパー式ゲートによって構成され得るが、１枚のフラップを用いて構成されてもよい。フラップはモータにより開閉自在に駆動される。
【００１８】
サーバ３は、入場改札機１、退場改札機２、券売機４と接続され、それぞれと通信可能である。サーバ３には、入場改札機１が入場の可否を判定する際に参照する情報と、退場改札機２が退場の可否を判定する際に参照する情報が予め記憶されている。また、サーバ３は券売機４から発券された入場前入場券７Ａに関する情報を受信する。なお、サーバ３を備えず、入場改札機１、退場改札機２、券売機４を通信可能とし、相互に必要な情報を送受信するようにしてもよい。また、入場改札機１、退場改札機２に、それぞれ予め入場、退場の可否を判定する際に必要な情報を記憶しておいてもよい。
【００１９】
退場用バーコード７１ｂが入場用バーコード７１ａの少なくとも一部に重なるように印刷されるため、バーコードリーダ１０９は入場済み入場券７Ｂ上の入場用バーコード７１ａを読み取ることができない。このため、一度管理区域外に退場した入場者６が入場済み入場券７Ｂを入場改札機１に投入しても、入場改札機１は入場ゲート１１を開かず、入場者６は管理区域内に再入場することができない。
【００２０】
図２は、本実施形態における入場改札機１のブロック図である。入場改札機１は、ＣＰＵ１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、Ｉ／Ｆ（Ｉｎｔｅｒｆａｃｅ）１０４、投入口１０５、排出口１０６、搬送ローラ１０７、搬送路１０８、バーコードリーダ１０９、デコード処理部１１３、プリンタ１１４、警告部１１５を含む。
【００２１】
ＣＰＵ１０１はアプリケーションプログラムに従って入場改札機１の各部、入場ゲート１１を制御する。ＲＯＭ１０２は不揮発性メモリから構成され、入場改札機１の各部、入場ゲート１１を制御するためのアプリケーションプログラムを記憶する。ＲＡＭ１０３はＣＰＵ１０１の動作に必要なメモリ領域を提供する。ＲＡＭ１０３はサーバ３から取得した購入日、有効期限、券種、入場可能エリア、シリアル番号などの情報を記憶する。Ｉ／Ｆ１０４はデータの送受信を行う通信部である。投入口１０５、排出口１０６は入場改札機１の筐体の一部に形成された開口部である。投入口１０５から排出口１０６には搬送路１０８が設けられている。搬送路１０８は、例えばベルトで構成され、ベルトは投入口１０５から排出口１０６の方向へモータにより駆動される。複数の搬送ローラ１０７は投入口１０５および排出口１０６の近傍にそれぞれ設けられている。バーコードリーダ１０９は投入口１０５近傍の搬送路１０８の上方に設けられ、入場前入場券７Ａ上の入場用バーコード７１ａを読み取り可能である。バーコードリーダ１０９は、光源１１０、受光部１１１、Ａ／Ｄ変換部１１２を含む。光源１１０は可視光領域の光源であり、例えばＬＥＤである。受光部１１１は、例えばＣＣＤイメージセンサ、ＣＭＯＳイメージセンサにより構成される。プリンタ１１４は、バーコードリーダ１０９と排出口１０６との間の搬送路１０８上に設けられている。プリンタ１１４は、光透過率が波長領域に依存せず、可視光および赤外光を反射するインクを備える。プリンタ１１４は、例えばインクジェットプリンタ、ドットインパクトプリンタなどの印刷装置である。警告部１１５は、例えば表示装置、ランプ、音声出力装置などである。入場前入場券７Ａが入場不可と判定された場合、警告部１１５は、例えば警告メッセージを画面に表示し、警告ランプを点滅し、または警告音を鳴らす。
【００２２】
投入口１０５から投入された入場前入場券７Ａは、搬送路１０８を通ってバーコードリーダ１０９の前まで搬送される。光源１１０は入場用バーコード７１ａに可視光１１６を照射する。受光部１１１は入場用バーコード７１ａからの反射光を受光し、反射光の強弱を電気信号に変換する。なお、可視光１１６に対する検出感度を高めるために受光部１１１に光学フィルタを設けてもよい。Ａ／Ｄ変換部１１２は受光部１１１で得られたアナログ信号をデジタル信号に変換する。デコード処理部１１３はＡ／Ｄ変換部１１２で得られたデジタル信号をデコーダでデコードし、入場の可否を判定する際に必要な情報を取得する。入場前入場券７Ａが入場可と判定された場合、プリンタ１１４は入場前入場券７Ａに退場判定に必要な退場用バーコード７１ｂを印刷する。プリンタ１１４は、バーコードリーダ１０９が入場用バーコード７１ａを読み取ることができない程度に、退場用バーコード７１ｂを入場用バーコード７１ａの少なくとも一部に重なるように印刷する。
【００２３】
なお、サーバ３を備えず、ＲＡＭ１０３に予め購入日、有効期限、券種、入場可能エリア、シリアル番号などの情報を記憶しておいてもよい。また、入場ゲート１１を備えず、入場改札機１のみを設置し、係員が入場状況を監視して入場者６を誘導してもよい。
【００２４】
図３は、本実施形態における退場改札機２のブロック図である。退場改札機２は、ＣＰＵ２０１、ＲＯＭ２０２、ＲＡＭ２０３、Ｉ／Ｆ２０４、投入口２０５、排出口２０６、搬送ローラ２０７、搬送路２０８、バーコードリーダ２０９、デコード処理部２１３、警告部２１４を含む。
【００２５】
ＣＰＵ２０１はアプリケーションプログラムに従って退場改札機２の各部、退場ゲート２１を制御する。ＲＯＭ２０２は不揮発性メモリから構成され、退場改札機２の各部、退場ゲート２１を制御するためのアプリケーションプログラムを記憶する。ＲＡＭ２０３はＣＰＵ２０１の動作に必要なメモリ領域を提供する。ＲＡＭ２０３はサーバ３から取得した購入日、有効期限、券種、入場可能エリア、シリアル番号などの情報の少なくとも一部と入場許可済み情報を記憶する。Ｉ／Ｆ２０４はデータの送受信を行う通信部である。投入口２０５、排出口２０６は退場改札機２の筐体の一部に形成された開口部である。投入口２０５から排出口２０６には搬送路２０８が設けられている。搬送路２０８は、例えばベルトで構成され、ベルトは投入口２０５から排出口２０６の方向へモータにより駆動される。複数の搬送ローラ２０７は投入口２０５および排出口２０６の近傍にそれぞれ設けられている。バーコードリーダ２０９は投入口２０５近傍の搬送路２０８の上方に設けられ、入場済み入場券７Ｂ上の退場用バーコード７１ｂを読み取り可能である。バーコードリーダ２０９は、光源２１０、受光部２１１、Ａ／Ｄ変換部２１２を含む。光源２１０は赤外線領域の光源であり、例えばＬＥＤである。受光部２１１は、例えばＣＣＤイメージセンサ、ＣＭＯＳイメージセンサにより構成される。警告部２１４は、例えば表示装置、ランプ、音声出力装置などである。入場済み入場券７Ｂが退場不可と判定された場合、警告部２１４は、例えば警告メッセージを画面に表示し、警告ランプを点滅し、または警告音を鳴らす。
【００２６】
投入口２０５から投入された入場済み入場券７Ｂは、搬送路２０８を通ってバーコードリーダ２０９の前まで搬送される。光源２１０は退場用バーコード７１ｂに赤外光２１５を照射する。受光部２１１は退場用バーコード７１ｂからの反射光を受光し、反射光の強弱を電気信号に変換する。なお、赤外光２１５に対する検出感度を高めるために受光部２１１に光学フィルタを設けてもよい。Ａ／Ｄ変換部２１２は受光部２１１で得られたアナログ信号をデジタル信号に変換する。デコード処理部２１３はＡ／Ｄ変換部２１２で得られたデジタル信号をデコーダでデコードし、退場の可否を判定する際に必要な情報を取得する。
【００２７】
なお、サーバ３を備えず、ＲＡＭ２０３に予め購入日、有効期限、券種、入場可能エリア、シリアル番号などの情報の少なくとも一部と入場許可済み情報を記憶しておいてもよい。また、退場ゲート２１を備えず、退場改札機２のみを設置し、係員が退場状況を監視して入場者６を誘導してもよい。
【００２８】
また、退場改札機２は精算処理機能を持つものでもよい。この場合、退場改札機２が、例えば追加料金発生の理由により退場用バーコード７１ｂの情報を退場不可と判定した際、入場者６は係員を介さずに追加料金を精算することができる。このように退場改札機２が精算処理機能を持つ場合、券売機４は精算処理機能を持たずに発券機能のみを持つようにしてもよい。
【００２９】
図４は、本実施形態における入場前入場券７Ａの概観図であって、図４（ａ）は入場前入場券７Ａの側面図、図４（ｂ）は入場前入場券７Ａの上面図である。入場前入場券７Ａは記録媒体である台紙７０を含む。台紙７０は印刷可能であればよく、紙、樹脂、プレート、カードなど様々な記録媒体を用いて構成され得る。台紙７０の表面には入場用バーコード７１ａが印刷されている。なお、図４の台紙７０には、入場用バーコード７１ａのみが印刷されているが、画像、イラスト、文字などが印刷され得る。入場用バーコード７１ａのインクは赤外線領域である８５０ｎｍ以上の波長を透過させることが好ましい。また、本実施形態において、入場用バーコード７１ａの黒のバーのみが印刷されればよく、スペース、クワイエットゾーンは印刷されることを要しない。
【００３０】
図５は、本実施形態における入場済み入場券７Ｂの概観図であって、図５（ａ）は入場済み入場券７Ｂの側面図、図５（ｂ）は入場済み入場券７Ｂの上面図である。入場済み入場券７Ｂは入場前入場券７Ａ上に退場用バーコード７１ｂがさらに印刷された入場券である。退場用バーコード７１ｂは入場用バーコード７１ａの少なくとも一部に重ねて印刷される。これにより、バーコードリーダ１０９による入場用バーコード７１ａの読み取りを不可にすることができる。退場用バーコード７１ｂのインクの光透過率は波長領域に依存せず、退場用バーコード７１ｂは可視光および赤外光を反射する。また、本実施形態において、退場用バーコード７１ｂの黒のバーのみが印刷されればよく、スペース、クワイエットゾーンは印刷されることを要しない。
【００３１】
図６は、本実施形態における入場用バーコード７１ａとバーコードリーダ１０９を示す図である。バーコードリーダ１０９は入場用バーコード７１ａの領域に可視光１１６を照射し、入場用バーコード７１ａを読み取る。なお、バーコードリーダ１０９はレーザを照射することによって入場用バーコード７１ａをスキャンしてもよく、エリアセンサを用いて入場用バーコード７１ａの画像を検出してもよい。
【００３２】
図７は、本実施形態における退場用バーコード７１ｂとバーコードリーダ２０９を示す図である。バーコードリーダ２０９は退場用バーコード７１ｂの領域に赤外光２１５を照射し、退場用バーコード７１ｂを読み取る。なお、バーコードリーダ２０９は入場用バーコード７１ａと退場用バーコード７１ｂの両方の領域に赤外光２１５を照射し、退場用バーコード７１ｂを読み取るようにしてもよい。
【００３３】
図８は、本実施形態における入場改札機１の入場可否判定処理を示すフローチャートである。まず、入場者６は入場前入場券７Ａを投入口１０５に投入する（ステップＳ１０１）。投入された入場前入場券７Ａはバーコードリーダ１０９の前まで搬送され、バーコードリーダ１０９は入場前入場券７Ａ上の入場用バーコード７１ａを読み取る（ステップＳ１０２）。
【００３４】
バーコードリーダ１０９が入場用バーコード７１ａを読み取ることができない場合（ステップＳ１０３でＮＯ）、入場改札機１は警告部１１５により警告メッセージまたは警告音などを入場者６に通知する（ステップＳ１１１）。例えば、入場前入場券７Ａの汚れまたは破損などの理由により、バーコードリーダ１０９が入場用バーコード７１ａを物理的に読み取ることができない場合に、警告部１１５による警告がなされる。この場合、入場改札機１は入場前入場券７Ａを排出口１０６から排出し（ステップＳ１１２）、入場者６は入場前入場券７Ａを受け取る（ステップＳ１１３）。入場改札機１は入場ゲート１１を開かないため、入場者６は管理区域内に入場することができない。一方、バーコードリーダ１０９が入場用バーコード７１ａを読み取ることができる場合（ステップＳ１０３でＹＥＳ）、入場改札機１は読み取られた入場用バーコード７１ａをデコード処理部１１３によりデコードし、入場用バーコード７１ａから購入日、有効期限、券種、入場可能エリア、シリアル番号などの情報を取得する（ステップＳ１０４）。その後、入場改札機１はサーバ３から購入日、有効期限、券種、入場可能エリア、シリアル番号などの情報を取得する（ステップＳ１０５）。
【００３５】
続いて、入場改札機１はステップＳ１０４で取得した入場用バーコード７１ａの情報と、ステップＳ１０５で取得したサーバ３からの情報の少なくとも一部とを照合し、入場可否の判定を行う（ステップＳ１０６）。
【００３６】
入場改札機１が、例えば有効期限切れなどの理由により入場用バーコード７１ａの情報を入場不可と判定した場合（ステップＳ１０６でＮＯ）、入場改札機１は警告部１１５により警告メッセージまたは警告音などを入場者６に通知する（ステップＳ１１１）。この場合、入場改札機１は入場前入場券７Ａを排出口１０６から排出し（ステップＳ１１２）、入場者６は入場前入場券７Ａを受け取る（ステップＳ１１３）。入場改札機１は入場ゲート１１を開かないため、入場者６は管理区域内に入場することができない。一方、入場改札機１が入場用バーコード７１ａの情報を入場可と判定した場合（ステップＳ１０６でＹＥＳ）、入場改札機１はプリンタ１１４により入場前入場券７Ａに退場用バーコード７１ｂを印刷し（ステップＳ１０７）、入場ゲート１１を開く（ステップＳ１０８）。プリンタ１１４は、バーコードリーダ１０９が入場用バーコード７１ａを読み取ることができない程度に、退場用バーコード７１ｂを入場用バーコード７１ａの少なくとも一部に重なるように印刷する。入場改札機１は入場前入場券７Ａを入場済み入場券７Ｂとして排出口１０６から排出し（ステップＳ１０９）、入場者６は入場済み入場券７Ｂを受け取る（ステップＳ１１０）。これにより、入場者６は管理区域内に入場することができる。
【００３７】
図９は、本実施形態における退場改札機２の退場可否判定処理を示すフローチャートである。まず、入場者６は入場済み入場券７Ｂを投入口２０５に投入する（ステップＳ２０１）。投入された入場済み入場券７Ｂは退場改札機２のバーコードリーダ２０９の前まで搬送され、バーコードリーダ２０９は入場済み入場券７Ｂ上の退場用バーコード７１ｂを読み取る（ステップＳ２０２）。
【００３８】
バーコードリーダ２０９が退場用バーコード７１ｂを読み取ることができない場合（ステップＳ２０３でＮＯ）、退場改札機２は警告部２１４により警告メッセージまたは警告音などを入場者６に通知する（ステップＳ２１０）。例えば、入場済み入場券７Ｂの汚れまたは破損などの理由により、バーコードリーダ２０９が退場用バーコード７１ｂを物理的に読み取ることができない場合に、警告部２１４による警告がなされる。この場合、退場改札機２は入場済み入場券７Ｂを排出口２０６から排出し（ステップＳ２１１）、入場者６は入場済み入場券７Ｂを受け取る（ステップＳ２１２）。退場改札機２は退場ゲート２１を開かないため、入場者６は管理区域外に退場することができない。一方、バーコードリーダ２０９が退場用バーコード７１ｂを読み取ることができる場合（ステップＳ２０３でＹＥＳ）、退場改札機２は読み取られた退場用バーコード７１ｂをデコード処理部２１３によりデコードし、退場用バーコード７１ｂから購入日、有効期限、券種、入場可能エリア、シリアル番号などの情報の少なくとも一部と入場許可済み情報を取得する（ステップＳ２０４）。その後、退場改札機２はサーバ３から購入日、有効期限、券種、入場可能エリア、シリアル番号などの情報の少なくとも一部と入場許可済み情報を取得する（ステップＳ２０５）。
【００３９】
続いて、退場改札機２はステップＳ２０４で取得した退場用バーコード７１ｂの情報と、ステップＳ２０５で取得したサーバ３からの情報の少なくとも入場許可済み情報を含む一部とを照合し、退場可否の判定を行う（ステップＳ２０６）。なお、退場改札機２は入場許可済み情報についてのみ照合し、退場可否の判定を行ってもよい。例えば、入場許可済み情報が入場時刻である場合、入場時刻が当日であり、かつ、入場時刻を読み取った時刻が入場時刻以後であれば、退場改札機２は退場可と判定する。
【００４０】
退場改札機２が、例えば有効期限切れまたは追加料金発生などの理由により退場用バーコード７１ｂの情報を退場不可と判定した場合（ステップＳ２０６でＮＯ）、退場改札機２は警告部２１４により警告メッセージまたは警告音などを入場者６に通知する（ステップＳ２１０）。この場合、退場改札機２は入場済み入場券７Ｂを排出口２０６から排出し（ステップＳ２１１）、入場者６は入場済み入場券７Ｂを受け取る（ステップＳ２１２）。退場改札機２は退場ゲート２１を開かないため、入場者６は管理区域外に退場することができない。一方、退場改札機２が退場用バーコード７１ｂの情報を退場可と判定した場合（ステップＳ２０６でＹＥＳ）、退場改札機２は退場ゲート２１を開く（ステップＳ２０７）。退場改札機２は入場済み入場券７Ｂを排出口２０６から排出し（ステップＳ２０８）、入場者６は入場済み入場券７Ｂを受け取る（ステップＳ２０９）。これにより、入場者６は管理区域外に退場することができる。なお、例えば入場済み入場券７Ｂが領収書を兼ねていない場合など、退場改札機２は入場済み入場券７Ｂを排出せずに回収してもよい。
【００４１】
以上述べたように、本実施形態によれば、入場済み入場券７Ｂ上には退場用バーコード７１ｂが入場用バーコード７１ａの少なくとも一部に重なるように印刷されている。退場用バーコード７１ｂのインクは可視光１１６を反射する。このため、入場改札機１は退場用バーコード７１ｂの下に隠れた入場用バーコード７１ａを読み取ることができない。すなわち、一度管理区域外に退場した入場者６が入場済み入場券７Ｂを入場改札機１に投入しても、入場改札機１は入場ゲート１１を開かず、入場者６は管理区域内に再入場することができない。一方、入場用バーコード７１ａのインクは赤外光２１５を反射しない。このため、退場改札機２は赤外光２１５を用いて退場用バーコード７１ｂのみを読み取ることができる。これにより、退場改札機２は退場用バーコード７１ｂに含まれる情報に基づき、退場可否の判定を行うことができる。
【００４２】
このように、本実施形態によれば、退場用バーコード７１ｂを印刷するプリンタ１１４とは別に入場用バーコード７１ａの無効化装置を備えることなく、簡易な構成で入退場を適正に管理することが可能となる。また、例えば入場済み入場券７Ｂ上の入場用バーコード７１ａの位置に孔をあけるパンチ装置などを備える必要がないため、製造コストやメンテナンス費用を抑え、さらには入場改札機１を小型化することが可能となる。
【００４３】
なお、本実施形態では、入場用コードおよび退場用コードは１次元のバーコードであるとして説明したが、ＱＲコード（登録商標）のような２次元コードでもよい。なお、光学的に読み取ることができれば、コードではなく文字、記号などでもよい。
【００４４】
（第２の実施形態）
続いて第２の実施形態における入退場管理システムを説明する。以下では、第１の実施形態と異なる部分を中心に説明する。
【００４５】
本実施形態では、入場用バーコード７１ａおよび退場用バーコード７１ｂの黒のバーのみならず、スペース、クワイエットゾーンが印刷される。
【００４６】
図１０は、本実施形態における入場前入場券７Ａの概観図であって、図１０（ａ）は入場前入場券７Ａの側面図、図１０（ｂ）は入場前入場券７Ａの上面図である。台紙７０の表面には入場用バーコード７１ａの黒のバーが印刷されるとともに、スペース、クワイエットゾーンがインク７２ａにより印刷される。バーのインクは必ずしも黒色に限られず、色濃度の高いインクであればよい。インク７２ａは、黒のバーと比較してコントラスト比が高い明色を有している。なお、図１０においては、インク７２ａは台紙７０の一方の側端部から他方の側端部まで印刷されているが、スペースおよびクワイエットゾーンのみに印刷されてもよい。また、台紙７０が明色を有する場合には、入場用バーコード７１ａの黒のバーのみが印刷されればよく、インク７２ａが印刷されることを要しない。
【００４７】
図１１は、本実施形態における入場済み入場券７Ｂの概観図であって、図１１（ａ）は入場済み入場券７Ｂの側面図、図１１（ｂ）は入場済み入場券７Ｂの上面図である。入場済み入場券７Ｂは入場前入場券７Ａ上に退場用バーコード７１ｂがさらに印刷された入場券である。退場用バーコード７１ｂは入場用バーコード７１ａの少なくとも一部に重ねて印刷される。入場前入場券７Ａの表面には退場用バーコード７１ｂの黒のバーが印刷されるとともに、スペース、クワイエットゾーンがインク７２ｂにより印刷される。バーのインクは必ずしも黒色に限られず、色濃度の高いインクであればよい。インク７２ｂはインク７２ａと同様に、黒のバーと比較してコントラスト比が高い明色を有している。なお、図１１においては、インク７２ｂは入場前入場券７Ａの一方の側端部から他方の側端部まで印刷されているが、スペースおよびクワイエットゾーンのみに印刷されてもよい。
【００４８】
本実施形態において、退場用バーコード７１ｂの黒のバーのみならず、スペース、クワイエットゾーンが印刷される。退場用バーコード７１ｂが入場用バーコード７１ａの少なくとも一部に重ねて印刷されたとしても、退場用バーコード７１ｂは入場用バーコード７１ａと干渉することなく、読み取り可能となる。このため、退場改札機２の光源２１０は赤外線領域の光源であることを要せず、可視光領域の光源でもよい。入場用バーコード７１ａは退場用バーコード７１ｂと共通のインクを用いて印刷され得る。本実施形態においては、入場用バーコード７１ａの少なくとも一部に重ねて印刷された退場用バーコード７１ｂを干渉せずに読み取ることができれば、インクの種類、入場改札機１の光源１１０および退場改札機２の光源２１０の波長領域を問わない。
【００４９】
以上述べたように、本実施形態によれば、入場済み入場券７Ｂ上には退場用バーコード７１ｂが入場用バーコード７１ａの少なくとも一部に重なるように印刷されている。退場用バーコード７１ｂのインクはバーコードリーダ１０９からの照射光を反射する。このため、入場改札機１は退場用バーコード７１ｂの下に隠れた入場用バーコード７１ａを読み取ることができない。すなわち、一度管理区域外に退場した入場者６が入場済み入場券７Ｂを入場改札機１に投入しても、入場改札機１は入場ゲート１１を開かず、入場者６は管理区域内に再入場することができない。また、退場用バーコード７１ｂは、黒のバーのみならず、スペース、クワイエットゾーンが印刷される。このため、退場改札機２は入場用バーコード７１ａと干渉することなく退場用バーコード７１ｂのみを読み取ることができる。これにより、退場改札機２は退場用バーコード７１ｂに含まれる情報に基づき、退場可否の判定を行うことができる。
【００５０】
このように、本実施形態によれば、退場用バーコード７１ｂを印刷するプリンタ１１４とは別に入場用バーコード７１ａの無効化装置を備えることなく、簡易な構成で入退場を適正に管理することが可能となる。
【００５１】
（第３の実施形態）
図１２は本実施形態における入退場管理システム１０の概略構成図である。本実施形態における入退場管理システム１０は、入場管理装置５０、退場管理装置６０を含む。入場管理装置５０は、第１の塗布剤で記録媒体に印刷された入場用コードを読み取る入場読取部５０１と、入場読取部５０１による読み取り結果に基づき入場の可否を判定する入場判定部５０２と、入場判定部５０２が入場可と判定した場合に、第２の塗布剤で退場用コードを入場用コードの少なくとも一部に重なるように印刷し、入場用コードを入場読取部５０１で読み取り不可にする印刷部５０３とを備える。退場管理装置６０は、退場用コードを読み取る退場読取部６０１と、退場読取部６０１による読み取り結果に基づき退場の可否を判定する退場判定部６０２とを備える。このような構成によれば、印刷部５０３が退場用コードを入場用コードの少なくとも一部に重なるように印刷することにより入場読取部５０１で入場用コードを読み取ることができなくなるため、再入場を防止することができる。また、退場管理装置６０は退場用コードに含まれる情報に基づき、退場可否の判定を行うことができる。このように、本実施形態によれば、退場用コードの印刷装置とは別に入場用コードの無効化装置を備えることなく、簡易な構成で入退場を適正に管理することが可能となる。
【００５２】
（他の実施形態）
本発明は、上述の実施形態に限定されることなく、本発明の趣旨を逸脱しない範囲において適宜変更可能である。
【００５３】
上述の実施形態では、第１の管理区域への入場管理について説明したが、第１の管理区域内にある第２の管理区域への入場管理を行うこともできる。例えば、テーマパーク（第１の管理区域）内に設けられたアトラクション（第２の管理区域）においても、本発明を適用し得る。この場合、第１の管理区域への入場管理を行う第１の入場改札機とは別に、第２の管理区域への入場口に第２の入場改札機が設置される。第１の入場改札機が入場用バーコード７１ａに含まれる情報に基づき第１の管理区域への入場を許可すると、第１の入場改札機は退場用バーコード７１ｂを入場用バーコード７１ａの少なくとも一部に重なるように印刷し、入場許可済み情報を第２の入場改札機に送信する。入場者６が入場済み入場券７Ｂを第２の入場改札機に投入すると、第２の入場改札機は退場用バーコード７１ｂから読み取った入場許可済み情報と第１の入場改札機から送信された入場許可済み情報とを照合する。両者が一致した場合に、第２の入場改札機は入場者６の第２の管理区域への入場を許可する。このように、第１の管理区域内にある第２の管理区域への入場管理を行うシステムにおいても本発明を適用することが可能である。
【００５４】
また、上述の各実施形態の機能を実現するように該実施形態の構成を動作させるプログラムを記録媒体に記録させ、該記録媒体に記録されたプログラムをコードとして読み出し、コンピュータにおいて実行する処理方法も各実施形態の範疇に含まれる。すなわち、コンピュータ読取可能な記録媒体も各実施形態の範囲に含まれる。また、上述のコンピュータプログラムが記録された記録媒体はもちろん、そのコンピュータプログラム自体も各実施形態に含まれる。
【００５５】
上述の実施形態の一部または全部は、以下の付記のようにも記載されうるが、以下には限られない。
【００５６】
（付記１）
管理区域への入場の可否を判定する入場管理装置と、前記管理区域からの退場の可否を判定する退場管理装置とを備える入退場管理システムであって、
前記入場管理装置は、
第１の塗布剤で記録媒体に印刷された入場用コードを読み取る入場読取部と、
前記入場読取部による読み取り結果に基づき入場の可否を判定する入場判定部と、
前記入場判定部が入場可と判定した場合に、第２の塗布剤で退場用コードを前記入場用コードの少なくとも一部に重なるように印刷し、前記入場用コードを前記入場読取部で読み取り不可にする印刷部とを備え、
前記退場管理装置は、
前記退場用コードを読み取る退場読取部と、
前記退場読取部による読み取り結果に基づき退場の可否を判定する退場判定部とを備えることを特徴とする入退場管理システム。
【００５７】
（付記２）
前記入場読取部は、可視光を照射し、
前記退場読取部は、赤外光を照射し、
前記第１の塗布剤は、前記可視光を反射し、前記赤外光を透過させるインクであり、
前記第２の塗布剤は、前記可視光および前記赤外光を反射するインクであることを特徴とする付記１に記載の入退場管理システム。
【００５８】
（付記３）
前記退場読取部は、可視光を照射することを特徴とする付記１に記載の入退場管理システム。
【００５９】
（付記４）
前記入場用コードおよび前記退場用コードは、バーのみが印刷されているバーコードであることを特徴とする付記２に記載の入退場管理システム。
【００６０】
（付記５）
前記入場用コードおよび前記退場用コードは、バー、スペースおよびクワイエットゾーンが印刷されているバーコードであることを特徴とする付記３に記載の入退場管理システム。
【００６１】
（付記６）
前記管理区域内にある他の管理区域への入場の可否を判定する他の入場管理装置をさらに備え、
前記他の入場管理装置は、前記退場用コードを読み取り、前記退場用コードの読み取り結果に基づき入場の可否を判定することを特徴とする付記１乃至５のいずれか１項に記載の入退場管理システム。
【００６２】
（付記７）
前記入場管理装置は、前記入場判定部が入場不可と判定した場合に、警告を出力することを特徴とする付記１乃至６のいずれか１項に記載の入退場管理システム。
【００６３】
（付記８）
前記退場管理装置は、前記退場判定部が退場不可と判定した場合に、警告を出力することを特徴とする付記１乃至７のいずれか１項に記載の入退場管理システム。
【００６４】
（付記９）
前記他の入場管理装置は、入場不可と判定した場合に、警告を出力することを特徴とする付記１乃至８のいずれか１項に記載の入退場管理システム。
【００６５】
（付記１０）
管理区域からの退場の可否を判定する退場管理装置とともに用いられる入場管理装置であって、
第１の塗布剤で記録媒体に印刷された入場用コードを読み取る読取部と、
前記読取部による読み取り結果に基づき入場の可否を判定する判定部と、
前記判定部が入場可と判定した場合に、第２の塗布剤で退場用コードを前記入場用コードの少なくとも一部に重なるように印刷し、前記入場用コードを前記読取部で読み取り不可にする印刷部とを備えることを特徴とする入場管理装置。
【００６６】
（付記１１）
管理区域への入場の可否を判定する入場管理装置とともに用いられる退場管理装置であって、
第１の塗布剤で記録媒体に印刷された入場用コードの少なくとも一部に重なるように第２の塗布剤で前記入場管理装置によって印刷された退場用コードであって、前記入場用コードが前記入場管理装置によって読み取り不可になるように印刷された前記退場用コードを読み取る読取部と、
前記読取部による読み取り結果に基づき退場の可否を判定する判定部とを備えることを特徴とする退場管理装置。
【００６７】
（付記１２）
管理区域への入場の可否を判定する入場管理装置および前記管理区域からの退場の可否を判定する退場管理装置における入退場管理方法であって、
第１の塗布剤で記録媒体に印刷された入場用コードを前記入場管理装置によって読み取るステップと、
前記入場管理装置による読み取り結果に基づき入場の可否を前記入場管理装置によって判定するステップと、
前記入場管理装置が入場可と判定した場合に、前記入場管理装置によって、第２の塗布剤で退場用コードを前記入場用コードの少なくとも一部に重なるように印刷し、前記入場用コードを前記入場管理装置で読み取り不可にするステップと、
前記退場用コードを前記退場管理装置によって読み取るステップと、
前記退場管理装置による読み取り結果に基づき退場の可否を前記退場管理装置によって判定するステップとを備えることを特徴とする入退場管理方法。
【００６８】
（付記１３）
管理区域への入場の可否を判定する入場管理装置および前記管理区域からの退場の可否を判定する退場管理装置における入退場管理方法をコンピュータに実行させるプログラムであって、
第１の塗布剤で記録媒体に印刷された入場用コードを前記入場管理装置によって読み取るステップと、
前記入場管理装置による読み取り結果に基づき入場の可否を前記入場管理装置によって判定するステップと、
前記入場管理装置が入場可と判定した場合に、前記入場管理装置によって、第２の塗布剤で退場用コードを前記入場用コードの少なくとも一部に重なるように印刷し、前記入場用コードを前記入場管理装置で読み取り不可にするステップと、
前記退場用コードを前記退場管理装置によって読み取るステップと、
前記退場管理装置による読み取り結果に基づき退場の可否を前記退場管理装置によって判定するステップとを備えることを特徴とするプログラム。
【符号の説明】
【００６９】
１  入場改札機
２  退場改札機
３  サーバ
４  券売機
５  管理区域の境界
６  入場者
７Ａ  入場前入場券
７Ｂ  入場済み入場券
１１  入場ゲート
２１  退場ゲート
４１  端末
４２  プリンタ
７０  台紙
７１ａ  入場用バーコード
７１ｂ  退場用バーコード
７２ａ  インク
７２ｂ  インク
１０１  ＣＰＵ
１０２  ＲＯＭ
１０３  ＲＡＭ
１０４  Ｉ／Ｆ
１０５  投入口
１０６  排出口
１０７  搬送ローラ
１０８  搬送路
１０９  バーコードリーダ
１１０  光源
１１１  受光部
１１２  Ａ／Ｄ変換部
１１３  デコード処理部
１１４  プリンタ
１１５  警告部
１１６  可視光
２０１  ＣＰＵ
２０２  ＲＯＭ
２０３  ＲＡＭ
２０４  Ｉ／Ｆ
２０５  投入口
２０６  排出口
２０７  搬送ローラ
２０８  搬送路
２０９  バーコードリーダ
２１０  光源
２１１  受光部
２１２  Ａ／Ｄ変換部
２１３  デコード処理部
２１４  警告部
２１５  赤外光
４０１  排出口
【図１】
2019102014.tif 000003
【図２】
2019102014.tif 000004
【図３】
2019102014.tif 000005
【図４】
2019102014.tif 000006
【図５】
2019102014.tif 000007
【図６】
2019102014.tif 000008
【図７】
2019102014.tif 000009
【図８】
2019102014.tif 000010
【図９】
2019102014.tif 000011
【図１０】
2019102014.tif 000012
【図１１】
2019102014.tif 000013
【図１２】
2019102014.tif 000014